(57)【要約】【課題】印刷機、特に輪転印刷機の排紙機において、印刷された枚葉紙材を制動するために用いられる装置を、わずかな取り付けコストで、枚葉紙材を支持するための装置に交換できるようにする。【解決手段】本発明では、駆動シャフト６が貫通する第１の画定部材８と、これに対して軸方向に離間して設けられている第２の画定部材９とが収容空洞部１０を構成し、選択的に、この収容空洞部は制動リング７用のものであるか、または、この収容空洞部に閉止部材２０が組み込み可能であるとともにこのように組み込むことによって収容空洞部１０内に合流する吸引チャネル１３の開口部が強制的に閉止され、その際、枚葉紙材１の方を向いている、画定部材８,９の面８.１,９.１は枚葉紙材の支持面として機能する。【選択図】図３
2007308307.tif 000002
【特許請求の範囲】
【請求項１】
印刷機、特に輪転印刷機のチェーン式排紙機において、印刷された枚葉紙材(１)の負圧による制動または印刷された枚葉紙の支持を選択的に行うための装置であって、当該装置(４)は、枚葉紙の版幅にわたって延在するとともに印刷機に固定されている枚葉紙案内装置(２)と、印刷機の排紙機パイルとの間に設けられている装置において、
駆動シャフト(６)が貫通する第１の画定部材(８)と、該第１の画定部材に対して軸方向に離間して設けられている第２の画定部材(９)と、を備え、
前記画定部材間において、枚葉紙搬送方向(１５)に対して横断する方向に圧力媒体接続部(１０.１)を具備する収容空洞部(１０)が形成されており、
前記収容空洞部については、選択的に、
ａ)それ自体公知の方法で前記駆動シャフト(６)に機能的に接続可能となっている少なくとも一つの回転対称な制動部材(７)が、該制動部材の外周部に存在する開口部(７.１)であって、径方向に延在する吸引孔(７.２)と連通状態にある開口部によって収容されているか、または、
ｂ)前記収容空洞部(９)に組み込まれているとともに該収容空洞部(９)の前記圧力媒体接続部(１０.１)を覆う閉止部材(２０)が存在していることを特徴とする装置。
【請求項２】
請求項１に記載の装置において、
前記枚葉紙材(１)の方を向いている、前記画定部材(８,９)の面(８.１,９.１)が、排紙機パイルの方向で傾斜面に延在していることを特徴とする装置。
【請求項３】
請求項２に記載の装置において、
前記画定部材(８,９)は、枚葉紙材(１)用の支持部材として作用可能になっていることを特徴とする装置。
【請求項４】
請求項１に記載の装置において、
枚葉紙搬送方向(１５)に対して横断する方向に延在する少なくとも一つの横梁(１６)を備え、該横梁上では、前記収容空洞部(１０)が、枚葉紙材(１)の印刷が行われていない作業通路に関して、制動リング(７)によって位置決めおよび拘束可能になっていることを特徴とする装置。
【請求項５】
請求項１に記載の装置において、
前記枚葉紙搬送方向(１５)に対して横断する方向に延在する少なくとも一つの横梁(１６)を備え、該横梁上では、収容空洞部(１０)のみが、閉止部材(２０)によって位置決めおよび拘束可能になっていることを特徴とする装置。
【請求項６】
印刷機、特に輪転印刷機であって、請求項１ないし請求項５のいずれか１項に記載の装置(４)を少なくとも一つ備えることを特徴とする装置。
【発明の詳細な説明】
【技術分野】
【０００１】
本発明は、請求項１のプレアンブルに記載の印刷機、特に輪転印刷機のチェーン式排紙機において、印刷された枚葉紙材の負圧による制動または枚葉紙材の支持を選択的に行うための装置に関する。
【背景技術】
【０００２】
排紙機パイルの方向に搬送および印刷される枚葉紙材を制動するための装置は、通常、１台の印刷機内に複数存在しており、しかも、枚葉紙材の搬送方向において排紙機パイルの前方かつ印刷された枚葉紙材の全幅を横断して延在する駆動シャフト上に設けられている、ということが公知となっている。この種の装置は、複数の回転対称な制動部材を含み得る。ここで、これらの制動部材は、回転駆動される駆動シャフトに形状結合状態で接続されるとともに、この駆動シャフト上で、軸方向に互いに離間して設けられており、かつ、この駆動シャフトの長手方向中央軸の方向に位置決めおよび拘束可能になっている。したがって、装置はそれぞれ、回転駆動される駆動シャフトに機能的に接続される少なくとも一つの回転対称な制動部材からなる。この制動部材の外周部には、吸引開口部が設けられており、この吸引開口部は、径方向吸引孔を介して中央吸引チャネルに接続されている。この吸引チャネルは負圧源に接続されている。この場合、既に説明したように、駆動シャフト上の少なくとも一つの制動部材は、枚葉紙材の印刷画線部に応じて軸方向に調整可能および拘束可能に設けられている。ジョブを交換するたびに、すなわち、印刷画線部を交換するたびに、各装置の制動部材と、場合によっては存在している枚葉紙案内部材とを、変更された印刷画線部に対して新たに位置決めするか、または、制動部材を枚葉紙案内部材と交換する必要がある。特に、制動部材を支持または枚葉紙案内部材と交換するには、比較的高額の取り付けコストが必要となるので、必然的に、使用可能な印刷機の性能が損なわれることになる。
【０００３】
さらに、特許文献１より、印刷機用の排紙機が公知となっている。この排紙機の枚葉紙制動部および枚葉紙案内部は、当該文献によると、装備交換コストが少ないとされているため、種々の印刷ジョブに対して適合可能となっている。この種の印刷機は、加工方向に対して横断する方向に調整可能な枚葉紙制動部を有している。これらの枚葉紙制動部はそれぞれ、枚葉紙材と協働するとともに負圧が中を通過する制動部材を有しており、かつ、加工方向に対して横断する方向に調整可能な枚葉紙材用の支持部を有している。ここで、必要な場合には、負圧が中を通過することのない制動部材を有する枚葉紙制動部に交換して各枚葉紙支持部を構成してもよい。また、この場合、枚葉紙制動部を枚葉紙支持部に交換する際には一般的に多大な取り付けコストが必要となる、ということが当業者には明白である。しかしながら、枚葉紙制動部の交換による、強制的に各枚葉紙支持部の中を負圧が通過しなくなるようにする措置の採り方については特許文献１には開示されていない。
【特許文献１】独国特許出願公開第198 35 003号明細書(DE198 35 003A1)
【発明の開示】
【発明が解決しようとする課題】
【０００４】
したがって本発明の課題は、印刷機の排紙機において、印刷されるとともに排紙機パイルの方向に連続的に搬送される枚葉紙材を選択的に制動または支持するための装置を提供することである。この装置は、比較的少ない取り付けコストで制動機能から支持機能への切り替えを行うことができるとともに、その際、吸気流を別個に停止するために予め方向転換する必要性を排除する。
【課題を解決するための手段】
【０００５】
上記課題は請求項１に記載の特徴部によって解決される。この特徴部によると、印刷機の排紙機において、連続的に移送される枚葉紙材を選択的に制動または支持するための装置は、駆動シャフトを包囲する収容空洞部からなる。この収容空洞部は、枚葉紙案内方向に対して横断する方向に位置決め可能であるとともに印刷手段接続部を具備している。また駆動シャフトは、枚葉紙材の搬送方向に対して横断する方向にこの収容空洞部を貫通しており、この収容空洞部については、選択的に、
ａ)それ自体公知の方法で駆動シャフトに機能的に接続可能になっている少なくとも一つの回転対称な制動部材が、この制動部材の外周部に存在する開口部であって、径方向に延在する吸引孔と連通状態にある開口部によって収容されているか、またはその代わりに、
ｂ)収容空洞部に組み込み可能であるとともに収容空洞部の印刷手段接続部を覆う閉止部材が設けられている。
【０００６】
本発明のさらなる実施形態では、収容空洞部は、第１の画定部材と、この画定部材から軸方向に離間して設けられている第２の画定部材とから形成されている。枚葉紙材の方を向いている、収容空洞部の画定部材の面は、排紙機パイルの方向に傾斜して延在しており、それにより、枚葉紙‐くわえシステムによって把持されない枚葉紙材の後方の平行縁部領域が、枚葉紙材が排紙機パイルにおいて排出される前に、支持されている枚葉紙材の側に印刷する際に印刷品質が画定部材の上記面によって損なわれないように支持される。この場合、傾斜は、枚葉紙材の水平方向の搬送面に対して、１５°よりも大きくかつ４５°よりも小さいものであることが好適であり得る。さらに収容空洞部は、収容されている制動部材または収容されている閉止部材によって、印刷が行われていない作業通路に関して、枚葉紙案内方向に対して横断方向に延在している横梁上に軸方向に調整可能および拘束可能に設けられている。
【０００７】
本発明に係る解決手段によると、駆動シャフトを引くことによって該当する一つまたは複数の制動部材を収容空洞部から取り外すことができるので、枚葉紙制動装置を、大した取り付けコストを要さずに、枚葉紙支持装置に交換することができ、また逆に、枚葉紙支持装置を枚葉紙制動装置に交換することができる。少なくとも一つの制動部材が取り外されると、一体状に形成されたフランジを有する、スリーブの様式の閉止部材が、収容空洞部内に嵌入される。この閉止部材の内径は、駆動シャフトの周縁を包囲している。閉止部材のフランジは、収容空洞部の当接面に接触させられるが、その際同時に、収容空洞部の吸引チャネルが閉止される。このようにして、大した取り付けコストを要さずに、枚葉紙材を制動するための装置から、枚葉紙材をパイル化する前に支持するための装置が得られる。
【発明を実施するための最良の形態】
【０００８】
以下に、本発明を一実施例に基づいて詳細に説明する。
【０００９】
図１には、枚葉紙材１の版幅にわたって延在する、開口部３を備える枚葉紙案内装置２が図示されている。枚葉紙案内装置２には、印刷された枚葉紙材を負圧によって制動することまたは印刷された枚葉紙を図示されていない排紙機パイルの方向に支持することを選択的に行うための本発明に係る装置４が後置されている。装置２；４間には、追加の枚葉紙支持部材が設けられていてもよい。ここで、枚葉紙材１を制動するための装置４は、回転駆動される駆動シャフト６に形状結合状態で接続される公知の制動リング７を有する。この制動リングは、第１の画定部材８と、この第１の画定部材８から軸方向に離間して設けられている第２の画定部材９(図２参照)との間に配置されている。この場合、これら画定部材のうち少なくとも一方、すなわち本例では画定部材８が、バネ部材１１によって制動リング７を他方の画定部材９に対して張設し、それにより、制動リング７が該制動リング７内に収容されている円弧状に延在する吸引体１２に対して回転可能になる限り、両画定部材８,９は制動リング７用の収容空洞部を形成する。吸引体１２には、画定部材９内に存在する吸引チャネル１３が合流している。この吸引チャネルには、本例では図示されていない負圧源のホース供給ライン１４が接続されている。装置４を収容、調整および拘束する目的のために、排紙機の内部には、枚葉紙材１の搬送方向１５に対して横断する方向に延在する横梁１６；１７が設けられている。これら横梁のうち、少なくとも、装置４に最も近接している横梁１６が装置４を担持している一方で、この横梁１６に対してほぼ軸平行に設けられている横梁１７は、補足の案内部として設けられている。装置４が、枚葉紙材１の印刷が行われていない作業通路の方に向いている場合、装置４は、たとえばローレット頭ネジ等の拘束手段１８によって横梁１６上に拘束される。
【００１０】
ここで、制動リング７と、負圧源から印刷手段を制動リング７に導くために用いられる手段との協働については詳細に説明する必要はない。その理由は、この点については、たとえば独国特許発明第198 34 811号明細書(DE198 34 811C1)から当業者には概ね公知となっているからである。
【００１１】
図２では、収容空洞部１０が、第１の画定部材８と、第１の画定部材８から軸方向に離間して設けられている第２の画定部材９と、両画定部材８,９を被接触式に横断方向に貫通する駆動シャフト６とによって構成されている様子がはっきりと分かる。駆動シャフト６は、図１から分かるように多面形の断面を有する。この多面形の断面は、制動リング７の結合部７.３に形状結合状態で接続されている。制動リング７内部では、結合部７.３と同心状にローラ軸受１９が設けられている。このローラ軸受の内側リングは、結合部７.３の内側に接続されている。一方、ローラ軸受の外側リングは、吸引体１２を担持するとともにこの吸引体を画定部材９の当接面９.２上に位置決めする。ここで、画定部材９に組み込まれている吸引チャネル１３は、ホース供給ライン１４を介して、吸引体と図示されていない負圧源との間の機能的接続部を形成する。画定部材８に組み込まれている適切なバネ部材１１は、吸引体１２が画定部材９の上記当接面に気密状態で当接するように、制動リング７に対して作用可能になっている。
【００１２】
図３および図４は、制動リング７が存在しない以外は図１および図２と同様に構成された装置４を示している。ここでは、互いに対して軸方向に離間して設けられている画定部材８；９が枚葉紙案内装置２の案内面とは別に延在する支持面８.１；９.１を構成しており、これら支持面は、図示されていない排紙機パイルの方向に傾斜している、ということが本発明にとって重要である。これによって、この枚葉紙材１が排紙される前に、適切な搬送速度で枚葉紙案内装置２の上側２.１を浮遊しながら案内される枚葉紙材１の解放端部領域のみが支持面８.１,９.１によって支持される、ということが保証される。さらに、制動リング７の代わりに、駆動シャフト６を包囲するとともにスリーブ状に構成された、一体状に形成されているフランジ２０.１を備える閉止部材２０を、画定部材８,９から構成されている収容空洞部１０に組み込むことができ、しかも、閉止部材２０を組み込むのと同時に、画定部材９内に存在する負圧チャネル１３の開口部が耐圧状態で覆われるようになっている、ということが本発明にとって重要である。ここで、一体状に形成されているフランジ２０.１の外側輪郭線は、画定部材の支持面の傾斜に関して、画定部材８,９の支持面８.１,９.１の支持機能が損なわれないように構成されている。
【図面の簡単な説明】
【００１３】
【図１】制動部材を備える、印刷された枚葉紙材を制動するための装置の側面図である。
【図２】図１の装置を断面Ａ‐Ａで切って示した図である。
【図３】閉止部材を備える、印刷された枚葉紙材を支持するための装置の側面図である。
【図４】図３の装置を断面Ｂ‐Ｂで切って示した図である。
【符号の説明】
【００１４】
１  枚葉紙材
２  枚葉紙案内装置
２.１  枚葉紙案内装置の上側
３  開口部
４  装置
６  駆動シャフト
７  制動リング
７.１  開口部
７.２  吸引孔
７.３  結合部
８  画定部材
８.１  支持面
９  画定部材
９.１  支持面
９.２  当接面
１０  収容空洞部
１０.１  圧力媒体接続部
１１  バネ部材
１２  吸引体
１３  吸引チャネル
１４  ホース供給ライン
１５  搬送方向
１６,１７  横梁
１８  拘束手段
１９  ローラ軸受
２０  閉止部材
２０.１  フランジ
【図１】
2007308307.tif 000003
【図２】
2007308307.tif 000004
【図３】
2007308307.tif 000005
【図４】
2007308307.tif 000006